(57)【要約】【課題】地図データを更新すべき変更点に関するリストを好適に自動生成することが可能な地図整備装置を提供する。【解決手段】地図整備装置１は、配信地図ＤＢ１０を備える。そして、地図整備装置１は、サーバ装置４から受信するニュース情報Ｄ２と、配信地図ＤＢ１０とに基づき、配信地図ＤＢ１０の変更点に関する情報を抽出し、変更点リストＬｃを生成する。そして、地図整備装置１は、変更点リストＬｃに基づき配信地図ＤＢ１０を更新し、配信地図ＤＢ１０から抽出した地図データＤ１を車載機２へ送信する。車載機２は、受信した地図データＤ１に基づく経路案内などを実行する。【選択図】図５
2018106035.tif 000002
【特許請求の範囲】
【請求項１】
ニュース情報を取得する取得部と、
前記ニュース情報と、更新の対象となる地図データとに基づき、前記地図データの変更点に関する情報を抽出する抽出部と、
前記変更点のリストを生成する生成部と、
を備える地図整備装置。
【請求項２】
前記抽出部は、前記ニュース情報から、前記変更点に関する変更が生じた対象、位置、日付、及び変更の態様の少なくとも１つを抽出する請求項１に記載の地図整備装置。
【請求項３】
前記取得部は、通信網を介して取得可能なニュース情報から、１又は複数のキーワードに基づき検索したニュース情報を受信する請求項１または２に記載の地図整備装置。
【請求項４】
前記変更点に対する信頼度を判定する信頼度判定部をさらに備え、
前記生成部は、前記変更点のリストに前記信頼度の情報を含める請求項１〜３のいずれか一項に記載の地図整備装置。
【請求項５】
前記信頼度判定部は、前記変更点に関する情報を抽出したニュース情報の発信元に関する情報に基づき、前記信頼度を判定する請求項４に記載の地図整備装置。
【請求項６】
前記信頼度判定部は、前記変更点に関するニュース情報の数が多いほど、当該変更点に対応する信頼度を高くする請求項４または５に記載の地図整備装置。
【請求項７】
前記信頼度判定部が判定した信頼度に基づき、前記生成部が生成した前記変更点のリストから、前記地図データに反映すべき変更点を決定する地図更新部を備える請求項４〜６のいずれか一項に記載の地図整備装置。
【請求項８】
前記変更点のリストから前記地図データを更新する場合、前記信頼度判定部が判定した信頼度の情報を前記地図データに含める地図更新部を備える請求項４〜６のいずれか一項に記載の地図整備装置。
【請求項９】
前記抽出部は、前記ニュース情報に含まれる画像に基づき、信号機又は標識に関する情報を前記変更点に関する情報として抽出する請求項１〜８のいずれか一項に記載の地図整備装置。
【請求項１０】
前記取得部は、前記ニュース情報として、ニュースサイト若しくはソーシャルネットワーキングサイトの表示情報、又は、放送される音声に関する音声情報の少なくとも１つを取得する請求項１〜９のいずれか一項に記載の地図整備装置。
【請求項１１】
請求項８に記載の地図整備装置が更新した地図データに基づき案内を行う案内装置であって、
前記地図データにおいて信頼度の情報が付加された施設又は施設以外の地物に関する案内を行う場合、当該信頼度に基づく警告を出力する警告部を備える案内装置。
【請求項１２】
地図整備装置が実行する制御方法であって、
ニュース情報を取得する取得工程と、
前記ニュース情報と、更新の対象となる地図データとに基づき、前記地図データの変更点に関する情報を抽出する抽出工程と、
前記変更点のリストを生成する生成工程と、
を有する制御方法。
【請求項１３】
地図整備装置のコンピュータが実行するプログラムであって、
ニュース情報を取得する取得部と、
前記ニュース情報と、更新の対象となる地図データとに基づき、前記地図データの変更点に関する情報を抽出する抽出部と、
前記変更点のリストを生成する生成部
として前記コンピュータを機能させるプログラム。
【請求項１４】
請求項１３に記載のプログラムを記憶した記憶媒体。
【発明の詳細な説明】
【技術分野】
【０００１】
本発明は、地図データの整備技術に関する。
【背景技術】
【０００２】
従来から、地図データを整備する技術が存在する。例えば、特許文献１には、供用予定の路線に関する情報を含んだ開通前情報と、供用済み及び供用予定の路線を含んだ地図データとを記憶し、開通前情報として記憶された非使用データバージョンと、地図データのデータバージョンとを比較することで、開通前情報に対応する地図データの使用可否を判定する情報処理装置が開示されている。
【先行技術文献】
【特許文献】
【０００３】
【特許文献１】特開２０１４−２３８４７１号公報
【発明の概要】
【発明が解決しようとする課題】
【０００４】
施設の閉店や新規開店、標識の新設や撤去などは、種々の地点において生じており、これらの情報を正確に把握して地図データに反映するには時間と手間がかかるという問題がある。そこで、本発明は、地図データを更新すべき変更点に関するリストを好適に自動生成することが可能な地図整備装置を提供することを主な目的とする。
【課題を解決するための手段】
【０００５】
請求項１に記載の発明は、地図整備装置であって、ニュース情報を取得する取得部と、前記ニュース情報と、更新の対象となる地図データとに基づき、前記地図データの変更点に関する情報を抽出する抽出部と、前記変更点のリストを生成する生成部と、を備える。
【０００６】
請求項１２に記載の発明は、地図整備装置が実行する制御方法であって、ニュース情報を取得する取得工程と、前記ニュース情報と、更新の対象となる地図データとに基づき、前記地図データの変更点に関する情報を抽出する抽出工程と、前記変更点のリストを生成する生成工程と、を有する。
【０００７】
請求項１３に記載の発明は、地図整備装置のコンピュータが実行するプログラムであって、ニュース情報を取得する取得部と、前記ニュース情報と、更新の対象となる地図データとに基づき、前記地図データの変更点に関する情報を抽出する抽出部と、前記変更点のリストを生成する生成部として前記コンピュータを機能させる。
【図面の簡単な説明】
【０００８】
【図１】実施例に係る地図管理システムの概略構成である。
【図２】地図整備装置の概略構成を示す。
【図３】変更点リストのデータ構造の一例である。
【図４】地図データのデータ構造の一例である。
【図５】変更点リストの更新処理の概要を示すフローチャートである。
【図６】検索ワード「閉店」に基づき検索されたニュースサイトの表示例である。
【図７】検索ワード「出店」に基づき検索されたニュースサイトの表示例である。
【図８】ＳＮＳによる投稿内容を表す表示例である。
【図９】ＳＮＳにより投稿された写真に新設された標識が表示されていた場合の投稿内容を示す。
【図１０】経路探索を行う車載機の表示例を示す。
【発明を実施するための形態】
【０００９】
本発明の好適な実施形態によれば、地図整備装置は、ニュース情報を取得する取得部と、前記ニュース情報と、更新の対象となる地図データとに基づき、前記地図データの変更点に関する情報を抽出する抽出部と、前記変更点のリストを生成する生成部と、を備える。
【００１０】
上記地図整備装置は、取得部と、抽出部と、生成部とを備える。取得部は、ニュース情報を取得する。ここで、ニュース情報は、ニュースサイトにおいて提供されるウェブ情報の他、ＳＮＳ（Ｓｏｃｉａｌ  Ｎｅｔｗｏｒｋｉｎｇ  Ｓｅｒｖｉｃｅ）により投稿されたウェブ情報、ラジオなどの音声情報等を含む。抽出部は、ニュース情報と、更新の対象となる地図データとに基づき、地図データの変更点に関する情報を抽出する。ここで、変更点は、地図データにおいて登録されていた施設及びその他の地物（信号機、看板、標識などを含む）等の変更に関する情報である。生成部は、変更点のリストを生成する。この態様によれば、地図整備装置は、地図データの更新時に反映すべき変更点のリストをニュース情報から生成し、地図の更新処理を好適に効率化することができる。
【００１１】
上記地図整備装置の一態様では、前記抽出部は、前記ニュース情報から、前記変更点に関する変更が生じた対象、位置、日付、及び変更の態様の少なくとも１つを抽出する。これにより、地図整備装置は、生成する変更点のリストにおいて、地図データの更新に必要な情報を好適に収集することができる。
【００１２】
上記地図整備装置の他の一態様では、前記取得部は、通信網を介して取得可能なニュース情報から、１又は複数のキーワードに基づき検索したニュース情報を受信する。この態様により、地図整備装置は、地図データの変更点に関する内容を含むニュース情報を好適に取得して変更点のリストを効率的に生成することができる。
【００１３】
上記地図整備装置の他の一態様では、地図整備装置は、前記変更点に対する信頼度を判定する信頼度判定部をさらに備え、前記生成部は、前記変更点のリストに前記信頼度の情報を含める。この態様により、地図整備装置は、ニュース情報により生成した変更点に関する情報の信頼度を変更点のリストに好適に含めることができる。
【００１４】
上記地図整備装置の他の一態様では、前記信頼度判定部は、前記変更点に関する情報を抽出したニュース情報の発信元に関する情報に基づき、前記信頼度を判定する。この態様により、地図整備装置は、変更点に関する情報の信頼度を好適に判定することができる。
【００１５】
上記地図整備装置の他の一態様では、前記信頼度判定部は、前記変更点に関するニュース情報の数が多いほど、当該変更点に対応する信頼度を高くする。このように、地図整備装置は、関連するニュース情報の数に応じて変更点に関する信頼度を判定することで、信頼度を的確に定めることができる。
【００１６】
上記地図整備装置の他の一態様では、地図整備装置は、前記信頼度判定部が判定した信頼度に基づき、前記生成部が生成した前記変更点のリストから、前記地図データに反映すべき変更点を決定する地図更新部をさらに備える。この態様により、地図整備装置は、地図データの信頼性を好適に保つことができる。
【００１７】
上記地図整備装置の他の一態様では、前記抽出部は、前記ニュース情報に含まれる画像に基づき、信号機又は標識に関する情報を前記変更点に関する情報として抽出する。この態様により、地図整備装置は、信号機や標識に関する変更についても変更点のリストに好適に登録することができる。
【００１８】
上記地図整備装置の他の一態様では、前記取得部は、前記ニュース情報として、ニュースサイト若しくはソーシャルネットワーキングサイトの表示情報、又は、放送される音声に関する音声情報の少なくとも１つを取得する。これにより、地図整備装置は、変更点に関する情報を抽出する対象となるニュース情報を好適に取得することができる。
【００１９】
本発明の他の好適な実施形態によれば、地図整備装置が更新した地図データに基づき案内を行う案内装置であって、前記地図データにおいて信頼度の情報が付加された施設又は施設以外の地物に関する案内を行う場合、当該信頼度に基づく警告を出力する警告部を備える。この態様により、案内装置は、対象の施設や地物に対する信頼度をユーザに通知することで、確実性が充分でない変更点の情報についても好適に活用することができる。
【００２０】
本発明の他の好適な実施形態によれば、地図整備装置が実行する制御方法であって、ニュース情報を取得する取得工程と、前記ニュース情報と、更新の対象となる地図データとに基づき、前記地図データの変更点に関する情報を抽出する抽出工程と、前記変更点のリストを生成する生成工程と、を有する。地図整備装置は、この制御方法を実行することで、地図データの更新時に反映すべき変更点のリストをニュース情報から生成し、地図の更新処理を好適に効率化することができる。
【００２１】
本発明の他の好適な実施形態によれば、地図整備装置のコンピュータが実行するプログラムであって、ニュース情報を取得する取得部と、前記ニュース情報と、更新の対象となる地図データとに基づき、前記地図データの変更点に関する情報を抽出する抽出部と、前記変更点のリストを生成する生成部として前記コンピュータを機能させる。コンピュータは、このプログラムを実行することで、地図データの更新時に反映すべき変更点のリストをニュース情報から生成し、地図の更新処理を好適に効率化することができる。好適には、上記プログラムは、記憶媒体に記憶される。
【実施例】
【００２２】
以下、図面を参照して本発明の好適な実施例について説明する。
【００２３】
［地図管理システムの概要］
図１は、本実施例に係る地図管理システムの概略構成である。地図管理システムは、地図データの更新及び配信を行う地図整備装置１と、各車両と共に移動する複数の車載機２と、サーバ装置４とを備える。
【００２４】
地図整備装置１は、配信地図ＤＢ１０を記憶し、車載機２からの要求に応じて、地図データ「Ｄ１」を配信地図ＤＢ１０から抽出して送信する。地図データＤ１は、車載機２の自車位置周辺の部分的な地図データであってもよく、車載機２の地図ＤＢ２０を最新情報に更新するための差分情報であってもよい。また、地図整備装置１は、インターネットなどの通信網を介してサーバ装置４と通信可能であり、所定のキーワードに基づきサーバ装置４が記憶するニュースに関する情報（「ニュース情報Ｄ２」とも呼ぶ。）を検索して収集するクローラとして機能する。ここで、ニュース情報Ｄ２は、例えば、ブラウザなどにより表示可能なウェブサイトやＳＮＳなどの種々の表示情報、及び、ポッドキャスト等により配信されるラジオの音声情報などが該当する。そして、地図整備装置１は、サーバ装置４から受信したニュース情報Ｄ２に基づき、配信地図ＤＢ１０の最新更新時点からの施設及び施設以外の地物等に関する変更点のリスト（「変更点リストＬｃ」とも呼ぶ。）を生成及び記憶する。
【００２５】
車載機２は、据置型の端末又は携帯端末であって、地図データＤ１を地図整備装置１から受信して記憶する。そして、車載機２は、受信した地図データＤ１等に基づき、ユーザが設定した目的地への経路探索や、設定された経路に基づく案内等を行う。車載機２は、本発明における「案内装置」の一例である。
【００２６】
サーバ装置４は、ニュースに関するＨＴＭＬドキュメントの各種情報を記憶し、地図整備装置１などのクライアントからＵＲＬにより指定された情報を、ＨＴＴＰなどの所定のプロトコルに従い送信するウェブサーバである。図１では、サーバ装置４は、１台のみ図示されているが、実際には複数のサーバ装置４が地図整備装置１等と通信可能となっている。
【００２７】
［サーバ装置の構成］
図２は、地図整備装置１の概略構成を示す。図２に示すように、地図整備装置１は、通信部１１と、記憶部１２と、入力部１３と、制御部１５と、表示部１６とを有する。地図整備装置１内のこれらの各要素は、バスラインを介して相互に接続されている。
【００２８】
通信部１１は、制御部１５の制御に基づき、車載機２と各種データの通信を行う。本実施例では、通信部１１は、車載機２から地図データＤ１の取得要求を受信した場合に、制御部１５が配信地図ＤＢ１０から抽出した地図データＤ１を車載機２へ送信する。また、通信部１１は、制御部１５の制御に基づき、ニュースに関する表示情報又は音声情報を管理するサーバ装置４とデータ通信を行い、ニュース情報Ｄ２を受信する。
【００２９】
記憶部１２は、地図整備装置１の動作を制御するためのプログラムを保存したり、地図整備装置１の動作に必要な情報を保持したりする。記憶部１２は、配信地図ＤＢ１０及び配信地図ＤＢ１０を更新するための変更点リストＬｃを記憶する。入力部１３は、ユーザによる種々の入力を受け付けるインターフェースであり、例えば、ボタン、タッチパネル、キーボード、音声入力装置などが該当する。入力部１３は、生成した入力信号を制御部１５へ供給する。表示部１６は、制御部１５の制御に基づき、所定の情報を表示する。
【００３０】
制御部１５は、図示しないＣＰＵ、ＲＯＭ及びＲＡＭなどを備え、地図整備装置１内の各構成要素に対して種々の制御を行う。本実施例では、制御部１５は、サーバ装置４から受信するニュース情報Ｄ２を解析することで、変更点リストＬｃの生成処理を行う。また、制御部１５は、入力部１３への入力等に基づき、変更点リストＬｃにより配信地図ＤＢ１０を更新する。また、制御部１５は、車載機２から所定の要求信号を通信部１１が受信した場合に、配信地図ＤＢ１０から地図データＤ１を抽出し、通信部１１により車載機２へ送信する。この場合、上述の要求信号には、例えば、車載機２の自車位置情報又は／及び地図ＤＢ２０の最新の更新日時情報などが含まれ、制御部１５は、これらの情報に基づき、配信地図ＤＢ１０から配信すべき地図データＤ１を抽出する。制御部１５は、本発明における「取得部」、「抽出部」、「生成部」、「信頼度判定部」、「地図更新部」及び本発明におけるプログラムを実行する「コンピュータ」の一例である。
【００３１】
［データ構造］
次に、変更点リストＬｃ及び地図データＤ１のデータ構造の具体例について、図３及び図４を参照して説明する。
【００３２】
図３は、変更点リストＬｃのデータ構造の一例である。変更点リストＬｃは、主に、「リスト番号」、「位置」、「ステータス」、「変更日時」、「信頼度」、「種別」、「名称」の各項目を有する。ここで、「リスト番号」は、変更点リストＬｃの各レコードに付される識別番号を示す。また、「位置」は、変更が生じたと推定される地点を表す緯度及び経度を示す。また、「ステータス」は、変更の対象となる施設等の変更態様を示す。「変更日時」は、変更が行われる又は行われると推定される日時を示す。「信頼度」は、対応するレコードが示す変更点の情報に関する信頼度を示す。図３の例では、信頼度は、最大を「５」とする５段階評価値となっている。「種別」は、ステータスの変更があった施設等の種別（カテゴリ）を示し、「名称」は、ステータスの変更があった施設等の名称を示す。
【００３３】
地図整備装置１は、図３に示す変更点リストＬｃの各レコードを、サーバ装置４から受信するニュース情報Ｄ２に基づき生成する。変更点リストＬｃの生成処理については後述する。
【００３４】
図４は、地図データＤ１のデータ構造の一例である。図４に示す地図データＤ１は、施設情報と、道路データとを含む。そして、施設情報は、主に、位置情報と、名称情報と、種別情報と、信頼度情報とを含む。
【００３５】
信頼度情報は、例えば、施設情報のうち信頼度が所定度（例えば最大値「５」）に満たなかった変更点リストＬｃのレコードに対応する施設情報に含まれる。信頼度情報は、主に、変更点リストＬｃに登録されていた「ステータス」、「変更日時」、及び「信頼度」等の各項目の情報を含んでいる。例えば、地図整備装置１は、「ステータス」が消滅であって「信頼度」が所定度未満の変更点リストＬｃのレコードを配信地図ＤＢ１０に反映する場合、対象となる施設の施設情報を配信地図ＤＢ１０から完全に消去する代わりに、当該施設情報に上述の信頼度情報を付加する。信頼度情報の活用方法については、後述する。
【００３６】
［変更点リストの生成処理］
（１）処理概要
【００３７】
図５は、地図整備装置１が実行する変更点リストＬｃの生成処理の概要を示すフローチャートである。地図整備装置１は、図５に示すフローチャートの処理を繰り返し実行する。
【００３８】
まず、地図整備装置１は、予め定められた所定のキーワード（単に「検索ワード」とも呼ぶ。）に基づき、変更点リストＬｃのレコードの生成に必要なニュース情報Ｄ２を検索し、検索したニュース情報Ｄ２をサーバ装置４から受信する（ステップＳ１０１）。即ち、地図整備装置１は、所定の検索ワードから公知の検索エンジンなどを用いて変更点リストＬｃのレコードの生成に必要なニュース情報Ｄ２を収集する。ここで、上述の検索ワードは、例えば、「閉店」、「開店」、「オープン」、「出店」などであり、属人的な手法又は公知の学習技術に基づき予め定められる。
【００３９】
その後、地図整備装置１は、サーバ装置４から受信したニュース情報Ｄ２から閉店や開店などのステータスの変更があった又は変更が予定される施設等の名称、位置、変更日時等を特定する（ステップＳ１０２）。ステップＳ１０２での特定処理の詳細については、図６〜図９を参照して具体的に説明する。
【００４０】
次に、地図整備装置１は、ステップＳ１０２において特定した施設等に関するステータスの変更が配信地図ＤＢ１０に反映済みであるか否か判定する（ステップＳ１０３）。即ち、地図整備装置１は、ステップＳ１０３において閉店や開店などのステータスの変更があった又は変更が予定される施設等のステータスの変更が配信地図ＤＢ１０において反映されているか否か判定する。そして、地図整備装置１は、ステップＳ１０２において特定した施設等に関する変更が配信地図ＤＢ１０に反映済みである場合（ステップＳ１０３；Ｙｅｓ）、変更点リストＬｃを更新することなくフローチャートの処理を終了する。
【００４１】
一方、地図整備装置１は、ステップＳ１０２において特定した施設等に関する変更が配信地図ＤＢ１０に反映されていないと判断した場合（ステップＳ１０３；Ｎｏ）、変更点リストＬｃの更新を行う（ステップＳ１０４）。即ち、地図整備装置１は、ステップＳ１０２において特定した施設等に対応する変更点リストＬｃのレコードの生成又は更新を行う。このとき、地図整備装置１は、ステップＳ１０２で用いたニュース情報Ｄ２の発信元等に応じて、ステップＳ１０２において特定した施設等に対する信頼度を設定する。
【００４２】
ここで、変更点リストＬｃの配信地図ＤＢ１０への更新処理の具体例（第１の例〜第３の例）について説明する。
【００４３】
第１の例では、地図整備装置１は、配信地図ＤＢ１０の更新タイミングになった場合に、信頼度が所定度以上となる変更点リストＬｃのレコードのみを配信地図ＤＢ１０に反映させる。これにより、地図整備装置１は、配信地図ＤＢ１０の信頼性を好適に確保することができる。なお、上述の更新タイミングは、例えば所定時間間隔ごとに定められたタイミングであってもよく、ユーザ入力に基づく所定のタイミングであってもよい。
【００４４】
第２の例では、第１の例に代えて、又はこれに加えて、地図整備装置１は、信頼度が所定度に満たなかった変更点リストＬｃのレコードが存在する場合に、例えば、当該施設の施設情報に信頼度、変更後のステータス（閉店等）、及びステータスの変更日時等を示した信頼度情報（図４参照）を追加する。信頼度情報の活用例については後述する。
【００４５】
第３の例では、地図整備装置１は、変更点リストＬｃを、ユーザ入力により指定された変更点リストＬｃのレコードを配信地図ＤＢ１０に反映させる。この場合、例えば、地図整備装置１の管理者は、ステータスの変更を実際に確認することができた施設等に対する変更点リストＬｃのレコードのみを配信地図ＤＢ１０に反映させる。また、この場合、地図整備装置１は、ニュース情報Ｄ２から特定できなかった変更点リストＬｃの項目（例えば位置や信頼度等）が存在する場合には、入力部１３による入力を受け付けることで、配信地図ＤＢ１０の更新に必要な情報を適宜取得してもよい。
【００４６】
なお、地図整備装置１は、上述のステータスの変更の確認作業のため、車両の前方風景を撮影するカメラを備える車載機２から、変更点リストＬｃにおいて指定された施設等のステータスの変更があった位置（「変更候補地点」とも呼ぶ。）を撮影した画像を受信してもよい。この場合、地図整備装置１は、変更候補地点の周辺に存在する車載機２に対して画像の送信要求を送信することで、上述の画像を取得してもよい。そして、地図整備装置１は、例えば、車載機２から取得した変更候補地点を撮影した画像を表示部１６に表示させ、地図整備装置１の管理者に変更候補地点における変更の有無を確認する入力を受け付ける。他の例では、地図整備装置１は、変更候補地点におけるＷｉｆｉ（登録商標）の通信状況を車載機２又は他の装置等から取得し、Ｗｉｆｉスポットの新規発生又は消滅を検出することで、変更候補地点での施設等の消滅又は発生を判定してもよい。
【００４７】
また、図５のフローチャートの処理は、一例であり、本発明に適用可能な処理手順はこれに限定されない。例えば、地図整備装置１は、ステップＳ１０１において検索ワードに基づきニュース情報Ｄ２を検索する代わりに、特定のニュースサイトをクロールしてニュース情報Ｄ２として受信し、各ニュース情報Ｄ２についてステップＳ１０２に基づく特定処理を行ってもよい。
【００４８】
（２）変更点リストＬｃの生成処理の具体例
次に、図５のステップＳ１０２での特定処理の具体例について説明する。
【００４９】
図６（Ａ）は、検索ワード「閉店」に基づき検索されたニュースサイトの表示例である。この例では、図５のステップＳ１０１において、地図整備装置１は、検索ワード「閉店」に基づき、図６（Ａ）に示すニュースサイトの表示情報をニュース情報Ｄ２としてサーバ装置４から受信する。
【００５０】
この場合、地図整備装置１は、図６（Ａ）に示すニュースサイトの文字列から、変更点リストＬｃのレコードの生成に必要なワードなどの要素（「リスト生成用要素ＷＥ」とも呼ぶ。）を抽出する。具体的には、地図整備装置１は、図６（Ａ）に示すニュースサイトの文字列から、いつ、どこで、何が、どうなったか（どうなるか）といった情報を表すワードをリスト生成用要素ＷＥとして抽出する。
【００５１】
図６（Ｂ）は、リスト生成用要素ＷＥを明示した上述のニュースサイトの表示例である。図６（Ｂ）の例では、各リスト生成用要素ＷＥは、説明便宜上、それぞれ一点鎖線枠３Ａ〜３Ｇにより囲まれている。この場合、地図整備装置１は、固有名詞である「○○ラーメン△△店」（一点鎖線３Ａ、３Ｄ参照）を、ステータスの変更（即ち閉店又は開店）がある施設名を表すリスト生成用要素ＷＥとして抽出する。また、地図整備装置１は、「閉店」（一点鎖線３Ｂ、３Ｃ、３Ｇ参照）を、ステータスの変更を表すリスト生成用要素ＷＥとして抽出する。さらに、地図整備装置１は、住所を表すと推定されるワードである「ｘｘ県ｘｘ市ｘｘ１−１」（一点鎖線３Ｅ参照）を、位置を表すリスト生成用要素ＷＥとして抽出する。また、地図整備装置１は、日時を表すと推定されるワードである「１２月２０日」（一点鎖線３Ｆ参照）を、ステータスの変更日時を表すリスト生成用要素ＷＥとして抽出する。
【００５２】
そして、地図整備装置１は、抽出したリスト生成用要素ＷＥ等に基づき、図３に示す変更点リストＬｃの１番目のレコードを生成する。具体的には、地図整備装置１は、項目「位置」に登録する「（Ｘ１、Ｙ１）」を、位置を表すリスト生成用要素ＷＥである「ｘｘ県ｘｘ市ｘｘ１−１」を緯度及び経度に変換することで特定する。また、地図整備装置１は、項目「ステータス」に登録する「消滅」を、ステータスの変更を表すリスト生成用要素ＷＥである「閉店」に基づき特定する。また、地図整備装置１は、項目「変更日時」に登録する「２０１６年１２月２０日」を、ステータスの変更日時を表すリスト生成用要素ＷＥである「１２月２０日」に基づき特定する。また、地図整備装置１は、項目「信頼度」に登録する「４」を、図６（Ａ）に示すニュースサイトの発信元（この場合「ｘｘ新聞」）に基づき特定する。この場合、地図整備装置１は、例えば、ニュースサイト等の発信元と、対応する信頼度とを対応付けたテーブルを予め記憶しておき、当該テーブルを参照して信頼度を決定する。また、地図整備装置１は、項目「種別」に登録する「飲食店」を、ステータスの変更がある施設名を表すリスト生成用要素ＷＥである「○○ラーメン△△店」中のワード「ラーメン」から推定する。さらに、地図整備装置１は、項目「名称」に登録する「○○ラーメン△△店」を、上述のリスト生成用要素ＷＥ「○○ラーメン△△店」に基づき特定する。
【００５３】
なお、地図整備装置１は、図３の変更点リストＬｃの施設「○○ラーメン△△店」に関するレコードの生成後、再び同一の施設「○○ラーメン△△店」に関するリスト生成用要素ＷＥをニュース情報Ｄ２から抽出した場合、発信元に基づく信頼度が高い方のニュース情報Ｄ２のリスト生成用要素ＷＥを優先して変更点リストＬｃのレコードに反映させてもよい。また、地図整備装置１は、これらのニュース情報Ｄ２が互いに相反しない内容を表す場合（例えば、いずれも「○○ラーメン△△店」の閉店に関する内容である場合）、信頼度をいずれか一方の信頼度よりも高く設定してもよい。例えば、地図整備装置１は、信頼度「２」の発信元のニュース情報Ｄ２と信頼度「３」の発信元のニュース情報Ｄ２とが同一内容を表す場合には、対応する変更点リストＬｃのレコードの信頼度を「３」より高い値（例えばこれらの信頼度の合算値である「５」）に設定してもよい。このように、地図整備装置１は、同一内容を表すニュース情報Ｄ２の数が多いほど、対応する変更点リストＬｃのレコードの信頼度を高く設定してもよい。
【００５４】
図７（Ａ）は、検索ワード「出店」に基づき検索されたニュースサイトの表示例である。この例では、図５のステップＳ１０１において、地図整備装置１は、検索ワード「出店」に基づき、図７（Ａ）に示すニュースサイトの表示情報をニュース情報Ｄ２としてサーバ装置４から受信する。
【００５５】
この場合、地図整備装置１は、図６（Ａ）、（Ｂ）の例と同様に、図７（Ａ）に示すニュースサイトの文字列から、変更点リストＬｃのレコードの生成に必要なリスト生成用要素ＷＥを抽出する。図７（Ｂ）は、リスト生成用要素ＷＥを明示した上述のニュースサイトの表示例である。図７（Ｂ）の例では、各リスト生成用要素ＷＥは、それぞれ一点鎖線枠３Ｈ〜３Ｐにより囲まれている。この場合、地図整備装置１は、固有名詞である「○×マート」（一点鎖線３Ｈ、３Ｋ、３Ｐ参照）を、ステータスの変更（即ち閉店又は開店）がある施設名を表すリスト生成用要素ＷＥとして抽出する。また、地図整備装置１は、「出店」（一点鎖線３Ｊ参照）及び「オープン」（一点鎖線３Ｏ参照）を、ステータスの変更を表すリスト生成用要素ＷＥとして抽出する。さらに、地図整備装置１は、住所の判定要素となるワード「△×駅前」（一点鎖線３Ｉ、３Ｌ参照）及び○×マートの出店地点を概略的に示した地図画像３Ｎを、位置を表すリスト生成用要素ＷＥとして抽出する。また、地図整備装置１は、日時を表すと推定されるワードである「今月２０日」（一点鎖線３Ｍ参照）を、ステータスの変更日時を表すリスト生成用要素ＷＥとして抽出する。
【００５６】
そして、地図整備装置１は、抽出したリスト生成用要素ＷＥ等に基づき、図３に示す変更点リストＬｃの２番目のレコードを生成する。具体的には、地図整備装置１は、項目「位置」に登録する「（Ｘ２、Ｙ２）」を、位置を表すリスト生成用要素ＷＥであるワード「△×駅前」及び地図画像３Ｎに基づき特定する。この場合、地図整備装置１は、例えば、△×駅前周辺の地図を配信地図ＤＢ１０から認識し、配信地図ＤＢ１０から認識した地図と地図画像３Ｎとのマッチングを行うことで、地図画像３Ｎ内において強調された領域３Ｒの緯度及び経度を算出する。また、地図整備装置１は、項目「ステータス」に登録する「発生」を、ステータスの変更を表すリスト生成用要素ＷＥである「出店」及び「オープン」に基づき特定する。また、地図整備装置１は、項目「変更日時」に登録する「２０１６年１２月２２日」を、ステータスの変更日時を表すリスト生成用要素ＷＥである「今月２２日」に基づき特定する。また、地図整備装置１は、項目「信頼度」に登録する「３」を、図７（Ａ）に示すニュースサイトの発信元（この場合「×○新聞」）に基づき特定する。また、地図整備装置１は、項目「種別」に登録する「スーパーマーケット」を、ステータスの変更（即ち閉店又は開店）がある施設名を表すリスト生成用要素ＷＥである「○×マート」中のワード「マート」に基づき推定する。さらに、地図整備装置１は、項目「名称」に登録する「○×マート」を、上述のリスト生成用要素ＷＥ「○×マート」に基づき特定する。
【００５７】
図８（Ａ）は、「○○ラーメン△△店」の店長のＳＮＳによる投稿内容を表す表示例である。また、図８（Ｂ）は、「○○ラーメン△△店」の利用者のＳＮＳによる投稿内容を表す表示例である。
【００５８】
この場合、地図整備装置１は、検索ワード「閉店」に基づき、図８（Ａ）、（Ｂ）に示すＳＮＳの投稿に関する表示情報をニュース情報Ｄ２としてサーバ装置４からそれぞれ受信する。この場合、地図整備装置１は、例えば、図８（Ａ）の場合、文字列「○○ラーメン△△店」、「１２月２０日」、「閉店」等をリスト生成用要素ＷＥとして抽出する。また、地図整備装置１は、図８（Ｂ）の場合も同様に、文字列「○○ラーメン△△店」、「今月２０日」、「閉店」等をリスト生成用要素ＷＥとして抽出する。そして、地図整備装置１は、抽出したリスト生成用要素ＷＥに基づき、変更日時、ステータス、名称などの変更点リストＬｃに登録すべき各項目の内容を特定する。また、好適には、地図整備装置１は、ＳＮＳの投稿元のアカウント情報に基づき、変更点リストＬｃに反映すべき信頼度を決定するとよい。例えば、地図整備装置１は、図８（Ａ）に示すＳＮＳの投稿元のアカウントが認証済みアカウントである場合には、ＳＮＳの投稿元のアカウントが認証済みでないアカウントよりも信頼度を高く設定する。また、地図整備装置１は、ＳＮＳの投稿元のアカウントの名称に基づいて信頼度を設定してもよい。その場合には、例えば、地図整備装置１は、予めアカウント名称と信頼度がそれぞれ対応付けられたテーブルを地図整備装置１の記憶部１２に記憶させておき、当該テーブルを参照することで信頼度を設定する。他の例では、地図整備装置１は、当該テーブルが記憶されているサーバ装置４に対し対象のアカウント名称を指定した問合せを行うことで、設定すべき信頼度に関する情報を受信する。
【００５９】
このように、地図整備装置１は、ＳＮＳによる投稿に基づく情報をニュース情報Ｄ２としてサーバ装置４から受信することによっても、好適に変更点リストＬｃを生成することができる。
【００６０】
次に、道路周辺に付設される信号機や標識、看板等の地物に変更が生じた場合の変更点リストＬｃの生成処理の具体例について説明する。
【００６１】
図９は、ＳＮＳにより投稿された写真に新設された標識が表示されていた場合の投稿内容を示す。図９の例では、投稿者「△×太郎」が最近撮影した写真４０が投稿内容のウェブサイトに含まれている。
【００６２】
この場合、地図整備装置１は、公知の画像認識技術により写真４０から左折禁止の標識４１が存在することを認識する。さらに、地図整備装置１は、例えば、写真４０に含まれるメタデータである撮影位置の位置情報及び日時情報等を参照することで、標識４１の位置及び撮影日時を推定する。なお、地図整備装置１は、写真４０と一緒に投稿された文章等を解析し、写真４０を撮影した場所に関するワードが存在した場合には、当該ワードに基づき標識４１の位置等を推定してもよい。そして、地図整備装置１は、配信地図ＤＢ１０を参照し、写真４０に含まれる位置情報が示す位置に左折禁止の標識が登録されているか否かを判定する。そして、図９の例では、地図整備装置１は、当該標識が配信地図ＤＢ１０に登録されていないと判断し、当該標識に対するリスト番号「Ｌ００３」の変更点リストＬｃのレコード（図３参照）を生成する。
【００６３】
同様に、地図整備装置１は、ＳＮＳにより投稿された写真に信号機や看板などの配信地図ＤＢ１０に登録すべき地物を検出し、検出した地物に対応する情報が配信地図ＤＢ１０に未登録である場合には、検出した地物に対応する変更点リストＬｃのレコードを生成してもよい。また、地図整備装置１は、ＳＮＳにより投稿された写真に配信地図ＤＢ１０に登録済みの地物が存在しない場合には、当該地物が消滅したと判断し、当該地物の消滅に関する変更点リストＬｃのレコードを生成してもよい。
【００６４】
なお、図６〜図９の例に代えて、地図整備装置１は、ラジオ放送等の音声データに基づき、変更点リストＬｃの生成を行ってもよい。例えば、地図整備装置１は、通信部１１によりニュースに関するラジオ音声の音声情報をサーバ装置４から受信し、当該音声情報を公知の音声認識技術により音声認識して文章化した後で、図６〜図９の例と同様の処理を行うことで、変更点リストＬｃの生成を行う。なお、地図整備装置１は、ラジオ放送の電波を直接受信し、受信した電波に基づく音声を同様に音声認識して得られた文章により変更点リストＬｃの生成を行ってもよい。このように、地図整備装置１は、インターネット等を介して得られる表示情報に限らず、音声情報を用いることで変更点リストＬｃの生成を行ってもよい。
【００６５】
［信頼度に基づく案内］
図４において説明した信頼度情報の活用例について説明する。図１０は、図３の変更点リストＬｃが反映された地図データＤ１に基づき経路探索を行う車載機２の表示例を示す。なお、この例では、地図整備装置１は、変更点リストＬｃに基づき配信地図ＤＢ１０を更新する場合、施設の消滅（閉店）を示す信頼度が「５」未満の変更点リストＬｃのレコードが存在する場合に、当該施設の施設情報の削除に代えて、信頼度、変更後のステータス（閉店）、及びステータスの変更日時等を示した信頼度情報を当該施設情報に追加しているものとする。
【００６６】
図１０の例では、車載機２は、地図整備装置１から地図データＤ１を受信した後、目的地として施設「○○ラーメン△△店」を指定する入力を受け付ける。そして、車載機２は、図４に示すデータ構造を有する地図データＤ１から、施設「○○ラーメン△△店」に対応する施設情報の信頼度情報を参照し、信頼度「４」により施設「○○ラーメン△△店」のステータスが「消滅」に変更している可能性があると判断する。なお、地図整備装置１は、変更点リストＬｃにより配信地図ＤＢ１０を更新する際、「○○ラーメン△△店」の閉店に関する変更点リストＬｃの１番目のレコードの信頼度が「５」未満であることから、「○○ラーメン△△店」の施設情報を削除する代わりに、信頼度などの変更点リストＬｃに登録された情報を信頼度情報として当該施設情報に追加している。そして、車載機２は、参照した信頼度情報に含まれる信頼度が５段階中の「４」と比較的高いことから、指定された施設「○○ラーメン△△店」の閉店の可能性が高い旨を警告ウィンドウ７０により表示すると共に、「ＹＥＳ」及び「ＮＯ」の各確認ボタンを表示している。
【００６７】
このように、車載機２は、信頼度情報を参照することで、配信地図ＤＢ１０や地図データＤ１に完全に反映できる程度に信頼度が満たない変更点リストＬｃの情報を好適に活用し、信頼度に応じたステータスの変更の可能性を通知することで、ユーザの利便性を向上させることができる。
【００６８】
以上説明したように、本実施例に係る地図整備装置１は、配信地図ＤＢ１０を備える。そして、地図整備装置１は、サーバ装置４から受信するニュース情報Ｄ２と、配信地図ＤＢ１０とに基づき、配信地図ＤＢ１０の変更点に関する情報を抽出し、変更点リストＬｃを生成する。これにより、地図整備装置１は、配信地図ＤＢ１０を更新する際に必要な配信地図ＤＢ１０の変更点に関する情報を自動収集して変更点リストＬｃとして保存することができる。
【符号の説明】
【００６９】
１  地図整備装置
２  車載機
４  サーバ装置
１０  配信地図ＤＢ
１１  通信部
１２  記憶部
１３  入力部
１５  制御部
１６  表示部
【図１】
2018106035.tif 000003
【図２】
2018106035.tif 000004
【図３】
2018106035.tif 000005
【図４】
2018106035.tif 000006
【図５】
2018106035.tif 000007
【図６】
2018106035.tif 000008
【図７】
2018106035.tif 000009
【図８】
2018106035.tif 000010
【図９】
2018106035.tif 000011
【図１０】
2018106035.tif 000012